(57)【要約】【課題】照明機能付携帯電話における照明部の消費電力を低減する。【解決手段】マイクロコンピュータ１１０は、操作キー２１〜２５ｄのうちいずれかのキーが押されたか否かを判定する（ステップ３１０）。そして、操作キー２１〜２５ｄのうちいずれかのキーが押されたとき、点滅時間比ｄｙ：７５％、周波数：１００Ｈｚのパルス信号を照明デバイス駆動ドライバ回路１００のトランジスタ１０１に出力する（ステップ３４０）。従って、トランジスタ１０１は、パルス信号に基づいて周波数：１００Ｈｚ、点滅時間比：７５％で照明デバイス６０ａ〜６０ｆを間欠的点灯させる。【選択図】図７
2008252951.tif 000002
【特許請求の範囲】
【請求項１】
情報を表示する表示部（４０）と、
複数のキーから成る操作部（２０）と、
前記表示部を照明する表示用照明部（６０ａ、６０ｂ）及び前記操作部を照明する操作部用照明部（６０ｃ〜６０ｆ）とを備え、電池によって動作する照明機能付携帯電話であって、
前記操作部への操作に応じて、前記間欠的な点灯の間欠程度を間欠程度が０％である照明停止とならない範囲で、可変設定する設定手段（２２２、２７２）と、
前記設定手段により設定された前記間欠程度を前記表示部に表示させる設定表示手段（２３０）と、
前記設定手段により設定された前記間欠程度に基づいて前記照明部を間欠的に点灯させるように制御する点灯手段（３４０）とを有し、
前記設定手段により、前記表示用照明部（６０ａ、６０ｂ）と、前記操作部用照明部（６０ｃ〜６０ｆ）との両方における前記間欠程度を一括で可変設定できるようになっていることを特徴とする照明機能付携帯電話。
【請求項２】
前記設定表示手段（２３０）は、前記表示部用照明部（６０ａ、６０ｂ）と、操作部用照明部（６０ｃ〜６０ｆ）との両方の間欠程度を共通した１つの間欠程度表示で表示することを特徴とする請求項１に記載の照明機能付携帯電話。
【発明の詳細な説明】
【技術分野】
【０００１】
本発明は、照明機能を有する携帯電話に関する。
【背景技術】
【０００２】
今日、広く一般に普及している移動体電話では、その多くは、液晶表示パネル等の表示部、操作部、表示部と操作部とを照明する照明部を付帯している。照明部は、発着信時のみならず、携帯電話に内蔵されている電話帳へのデータ登録や、ショートメールのメッセージ入力などの操作部への操作ごとに一定期間点灯し続ける。これにより、夜間等における暗部であっても操作部への操作が容易にできるようになっている。
【発明の開示】
【発明が解決しようとする課題】
【０００３】
しかし、上述した照明部では、照明デバイスは、連続的に給電を受けて（例えば、一定電圧を受けて）、表示部及び操作部への照明として、光を出射するため、多くの電力を消費する。従って、携帯電話、ＰＨＳといった携帯電話が故に求められている稼働可能時間の長期化の妨げになるといった問題がある。
【０００４】
そこで、本発明は、上記点に鑑み、照明部の消費電力を低減するようにした照明機能付携帯電話を提供することを目的とする。
【課題を解決するための手段】
【０００５】
上記目的を達成するため、請求項１に記載の発明では、情報を表示する表示部（４０）と、複数のキーから成る操作部（２０）と、前記表示部を照明する表示用照明部（６０ａ、６０ｂ）及び前記操作部を照明する操作部用照明部（６０ｃ〜６０ｆ）とを備え、電池によって動作する照明機能付携帯電話であって、前記操作部への操作に応じて、前記間欠的な点灯の間欠程度を間欠程度が０％である照明停止とならない範囲で、可変設定する設定手段（２２２、２７２）と、前記設定手段により設定された前記間欠程度を前記表示部に表示させる設定表示手段（２３０）と、前記設定手段により設定された前記間欠程度に基づいて前記照明部を間欠的に点灯させるように制御する点灯手段（３４０）とを有し、前記設定手段により、前記表示用照明部（６０ａ、６０ｂ）と、前記操作部用照明部（６０ｃ〜６０ｆ）との両方における前記間欠程度を一括で可変設定できるようになっていることを特徴としている。
【０００６】
また、請求項２に記載の発明では、請求項１に記載の照明機能付携帯電話において、前記設定表示手段（２３０）は、前記表示部用照明部（６０ａ、６０ｂ）と、操作部用照明部（６０ｃ〜６０ｆ）との両方の間欠程度を共通した１つの間欠程度表示で表示することを特徴としている。
【０００７】
なお、この欄および特許請求の範囲で記載した各手段の括弧内の符号は、後述する実施形態に記載の具体的手段との対応関係を示すものである。
【発明を実施するための最良の形態】
【０００８】
以下、本発明を図に示す実施形態について説明する。
【０００９】
図１、図２に本発明の照明機能付携帯電話の実施形態を示す。図１は携帯電話の正面図、図２は図１中の携帯電話の正面ケース部１１を外した携帯電話の正面図である。図１に示すように、携帯電話は、ケース１０及びキー操作部２０を備えている。また、携帯電話には、図２に示すように、プリント基板３０、液晶パネル４０、接点部５０ａ〜５０ｋ、５０ｎ〜５０ｚ及び照明デバイス６０ａ〜６０ｆが設けられている。なお、携帯電話は、内蔵された電池により動作する。
【００１０】
図１に示すように、キー操作部２０は、ケース１０の正面ケース部１１に配設されている。キー操作部２０は、十字キー２１、電源キー２２、ファンクションキー２３、テンキー（文字・数字キー）２４ａ〜２４ｋ、２４ｍ、その他のキー２５ａ〜２５ｄから構成され、十字キー２１は、上向きキー２１ａ、下向きキー２１ｂ、左向きキー２１ｃ及び右向きキー２１ｄから成る。
【００１１】
液晶パネル４０は、図２に示すプリント基板３０上に搭載されて、ケース１０に形成された開口部１２のケース１０の内側に位置する。また、接点部５０ａ〜５０ｋ、５０ｎ〜５０ｚは、操作キー２１〜２５ｄの接点部であって、プリント基板３０上に搭載されている。
【００１２】
照明デバイス６０ａ〜６０ｆは、発光ダイオードであって、プリント基板３０上に搭載されている。照明デバイス６０ａ、６０ｂは、液晶パネル４０を照明し、照明デバイス６０ｃ〜６０ｆは、操作キー２１〜２５ｄを照明する。
【００１３】
次に、液晶パネル４０及び操作キー２１〜２５ｄを照明するための電気回路構成につき図３、図４を参照して説明する。図３は、携帯電話の電気回路構成を示すブロック図、図４は図３の一部を詳細に示す電気回路図である。携帯電話は、メモリ７０、キー入力インターフェイス回路８０、液晶パネルドライバ回路９０、照明デバイス駆動ドライバ回路１００、マイクロコンピュータ１１０を備えている。
【００１４】
メモリ７０は、ＲＯＭ、ＲＡＭ等から成るもので、各種データ、プログラムを保存し、キー入力インターフェイス回路８０は、操作キー２１〜２５ｄの接点部５０ａ〜５０ｋ、５０ｎ、５０ｍ、５０ｐ〜ｕ、５０ｘ〜ｚからのキー入力信号をマイクロコンピュータ１１０に出力する。
【００１５】
液晶パネルドライバ回路９０は、マイクロコンピュータ１１０により駆動されて、液晶パネル４０に各種情報を表示させる。照明デバイス駆動ドライバ回路１００は、図４に示すように、トランジスタ１０１を有して、トランジスタ１０１は、マイクロコンピュータ１１０から出力されたパルス信号を受けて、照明デバイス６０ａ〜６０ｆを間欠的点灯させる。
【００１６】
ここで、照明デバイス６０ａ〜６０ｆの間欠的点灯の程度としては、人間の視認における残像によってあたかも点灯し続けるように視覚されるレベルが採用されている。なお、本実施形態では、上記点滅周期としては１００Ｈｚが採用され、点滅時間比（間欠的点灯のデューテイー）としては、０％、２５％、５０％、７５％、１００％が設定可能になっている。
【００１７】
マイクロコンピュータ１１０は、液晶パネル４０及び操作キー２１〜２５ｄの照明における輝度設定処理、照明デバイス６０ａ〜６０ｆの間欠的点灯処理、その他の処理を行う。間欠的点灯処理は、待ち受け処理及び通話処理等のメインルーチンに対する設定時間毎の割り込み処理において実行され、輝度設定処理は、待ち受け中において実行される。
【００１８】
以下、マイクロコンピュータ１１０の輝度設定処理につき図５を参照して説明する。マイクロコンピュータ１１０は、図５示すフローチャートに従って輝度設定処理を実行する。先ず、「Ｆ３４」が押されたか否かを判定する（ステップ２００）。なお、「Ｆ」はファンクションキー２３、「３」は文字・数字キー２４ｃ  、「４」は文字・数字キー２４ｄである。
【００１９】
次に、ステップ２００で、「Ｆ３４」が押されたとき、ステップ２１０に進んで、液晶パネルドライバ回路９０を駆動して液晶パネル４０によって先回設定された点滅時間比のデータ（以下、点滅時間比ｄｙという）を表示させる。なお、先回設定された点滅時間比ｄｙは、メモリ７０のＲＡＭに記憶されている。
【００２０】
例えば、先回設定された点滅時間比ｄｙが５０％のとき、液晶パネル４０は、図６（ａ）に示す表示を行う。図６（ａ）中の直角三角形セグメントにおいて、黒い部分と白い部分の割合が点滅時間比ｄｙ（５０％）を示す。
【００２１】
次に、十字キー２１のうち上向きキー２１ａが押されたか否かを判定し（ステップ２２０）、上向きキー２１ａが押されたとき、ステップ２２１に進んで、点滅時間比ｄｙが１００％か否かを判定する。
【００２２】
次に、点滅時間比ｄｙが１００％でないとき（点滅時間比ｄｙ＜１００％）、ステップ２２２に進んで、点滅時間比ｄｙとして、「点滅時間比ｄｙ＋２５％」を設定し（点滅時間比ｄｙ＝点滅時間比ｄｙ＋２５％）、設定した点滅時間比ｄｙ（＝点滅時間比ｄｙ＋２５％）を液晶パネルドライバ回路９０を駆動して液晶パネル４０によって表示させる（ステップ２３０）。
【００２３】
例えば、先回設定された点滅時間比ｄｙが５０％で、上向きキー２１ａが一度押されたとき、液晶パネル４０は、図６（ｂ）に示す点滅時間比ｄｙ：７５％の表示を行い、上向きキー２１ａが二度押されたとき、液晶パネル４０は、図６（ｃ）に示す点滅時間比ｄｙ：１００％の表示を行う。なお、図６（ｂ）中の直角三角形セグメントでは、図６（ａ）に比べて、黒い部分が多く、図６（ｃ）中の直角三角形セグメントでは、図６（ｂ）に比べて、黒い部分が多い。
【００２４】
次に、ステップ２４０で設定された点滅時間比ｄｙを先回設定された点滅時間比ｄｙに置き換えてメモリ７０のＲＡＭに格納し（ステップ２４０）、メモリ７０のＲＡＭにおいて点滅フラグをセットする（ステップ２５０）。
【００２５】
次に、電源キー２２が押されたか否かを判定し（ステップ２６０）、電源キー２２が押されたとき、ステップ２００に進む。これにより、点滅時間比ｄｙを確定することができる。
【００２６】
なお、ステップ２６０で、電源キー２２が押されないとき、ステップ２２０に進む。また、ステップ２２１で、点滅時間比ｄｙが１００％のとき（点滅時間比ｄｙ＝１００％）、ステップ２２０に進む。
【００２７】
次に、ステップ２２０で、上向きキー２１ａが押されないとき、ステップ２７０に進んで、下向きキー２１ｂが押されたか否かを判定し、下向きキー２１ｂが押されたとき、ステップ２７１に進んで、点滅時間比ｄｙが０％か否かを判定する。
【００２８】
次に、点滅時間比ｄｙが０％でないとき（点滅時間比ｄｙ≠０％）、ステップ２７２に進んで、点滅時間比ｄｙとして、「点滅時間比ｄｙ−２５％」を設定し（点滅時間比ｄｙ＝点滅時間比ｄｙ−２５％）、設定した点滅時間比ｄｙを液晶パネルドライバ回路９０を駆動して液晶パネル４０によって表示させる（ステップ２３０）。その後、ステップ２４０〜２６０の処理を行う。
【００２９】
例えば、先回設定された点滅時間比ｄｙが５０％で、下向きキー２１ｂが一度押されたとき、液晶パネル４０は、図６（ｄ）に示す点滅時間比ｄｙ：２５％の表示を行い、下向きキー２１ｂが二度押されたとき、液晶パネル４０は、図６（ｅ）に示す点滅時間比ｄｙ：０％の表示を行う。図６（ｄ）中の直角三角形セグメントにおいて、図６（ａ）に比べて黒い部分が少なく、図６（ｅ）中の直角三角形セグメントにおいて、図６（ｄ）に比べて黒い部分が少ない。
【００３０】
次に、ステップ２７０で、下向きキー２１ｂが押されないとき、ステップ２４０〜２６０の処理を行う。なお、上向きキー２１ａ、及び下向きキー２１ｂのいずれのキーも押されないとき、先回設定された点滅時間比ｄｙをメモリ７０のＲＡＭに格納することになる。この場合、液晶パネル４０は、図６（ａ）に示す点滅時間比ｄｙ：５０％の表示を行う。
【００３１】
以下に、マイクロコンピュータ１１０における点滅処理につき図７を参照して説明する。マイクロコンピュータ１１０は、図７に示すフローチャートに従い点滅処理を行う。なお、照明デバイス６０ａ〜６０ｆの点滅周期：１００Ｈｚのデータは、予めメモリ７０のＲＯＭに格納されている。
【００３２】
先ず、間欠照明の設定が行われているか否かを判定し（ステップ３００）、メモリ７０のＲＡＭにおいて点滅フラグがセットされているとき、間欠照明の設定が行われていると判定し、ステップ３１０に進む。
【００３３】
次に、ステップ３１０で、操作キー２１〜２５ｄのうちいずれかのキーが押されたか否かを判定し、操作キー２１〜２５ｄのうちいずれかのキーが押されたのであれば、ステップ３２０に進んで、点灯タイマー（点灯時間を規定する）をセットする。
【００３４】
次に、点灯タイマーの作動が終了したか否かを（点灯タイマーがリセットしたか否かを）判定し（ステップ３３０）、点灯タイマーの作動が終了していないとき、ステップ３４０に進む。
【００３５】
次に、上述した輝度設定処理中でメモリ７０のＲＡＭに格納された点滅時間比ｄｙを呼び出すとともにメモリ７０のＲＯＭに格納された点滅周期（１００Ｈｚ）のデータを呼び出し、点滅時間比ｄｙ（例えば、７５％）、周波数：１００Ｈｚのパルス信号を照明デバイス駆動ドライバ回路１００のトランジスタ１０１に出力する。
【００３６】
従って、トランジスタ１０１は、周波数：１００Ｈｚ、点滅時間比：７５％で照明デバイス６０ａ〜６０ｆを間欠的点灯させる。これにより、照明デバイス６０ａ〜６０ｆの間欠的点灯によって液晶パネル４０及び操作キー２１〜２５ｄを照明することができる。なお、ステップ３３０で、点灯タイマーの作動が終了したとき、照明デバイス６０ａ〜６０ｆの間欠的点灯を消灯し（ステップ３７０）、ステップ３１０に進む。
【００３７】
以上により、液晶パネル４０及び操作キー２１〜２５ｄの照明にあたり、照明デバイス６０ａ〜６０ｆに一定電圧を出力するのではなく、間欠的点灯しているので、液晶パネル４０及び操作キー２１〜２５ｄの照明の為の消費電力を低減することができる。ここで、照明デバイス６０ａ〜６０ｆによる間欠的点灯としては、その点滅周期が視認されないものが採用されているので、操作者に違和感を与えることはない。
【００３８】
また、照明デバイス６０ａ〜６０ｆは、操作者によって設定された点滅時間比ｄｙに基づいて液晶パネル４０及び操作キー２１〜２５ｄを照明するため、操作キー２１〜２５ｄ及び液晶パネル４０においては、操作者の好みの輝度を得ることができる。
【００３９】
また、従来、光センサを設けこの光センサにより周囲の明るさを検出して周囲が明るいときには照明部をオフするようにしたものもあるが（特開平７−７４６９１号公報参照）、光センサが明るさを検出する為の電力が常に消費することになる。これに対して、本実施形態では、光センサを採用していないので、光センサが明るさを検出する為の電力が消費することはない。
【００４０】
なお、本発明の実施にあたり、点滅時間比ｄｙとして「０％」を設定できないようにしてもよい。すなわち、点滅時間比ｄｙの範囲としては、０＜点滅時間比ｄｙ≦１００にするようにしてもよい。
【００４１】
ここで、従来、照明デバイス６０ａ〜６０ｆの照明開始及びその停止が設定可能になっており、照明デバイス６０ａ〜６０ｆの照明停止を設定することで、消費電力を低減するようにしたものがあるが、予め、照明デバイス６０ａ〜６０ｆの照明停止を設定したままで、夜間等の暗部において照明デバイス６０ａ〜６０ｆの照明開始を設定するには手間がかかる。これに対して、点滅時間比ｄｙとして「０％」を設定できないようになっているので、液晶パネル４０及び操作キー２１〜２５ｄへの照明は行われ、上述した手間がかからない。
【００４２】
なお、上記実施形態では、液晶パネル４０及び操作キー２０の双方を間欠的点灯によって照明した例につき説明したが、これに限らず、液晶パネル４０及び操作キー２０の一方だけ間欠的点灯によって照明するようにしてもよい。
【００４３】
また、上記実施形態では、液晶パネル４０及び操作キー２０の輝度調整にあたり、照明デバイス６０ａ〜６０ｆの点滅の程度として点滅時間比（デューテイー）を調整した例につき説明したが、これに限らず、点滅周期を調整するようにしてもよい。さらに、これに限らず、点滅時間比と点滅周期との双方を調整するようにしてもよい。
【００４４】
なお、本発明の実施にあたり、液晶パネル４０としてカラー液晶パネルを採用してもよい。この場合には、液晶パネル４０としてモノクロ液晶パネル（白黒液晶パネル）を採用した場合に比べて多くの電力を消費するので、間欠的点灯して消費電力を低減すると、携帯電話に内蔵された稼働可能時時間の長期化を効果的に果たすことができる。また、液晶パネル４０としてカラー液晶パネルを採用したとき、操作者の好みの輝度調整を行えば、操作者の好みに応じたカラー表示を得ることができる。
【００４５】
なお、本発明の実施にあたり、照明デバイス６０ａ〜６０ｆによる間欠的点灯としては、その点滅周期が視認されるようにしてもよい。
【図面の簡単な説明】
【００４６】
【図１】本発明の実施形態における携帯電話の正面図である。
【図２】図１に示す携帯電話において正面ケース部を外した状態での正面図である。
【図３】上記携帯電話の電気回路構成を示すブロック図である。
【図４】図３の一部を詳細に示す電気回路図である。
【図５】図３中のマイクロコンピュータの輝度調整処理を示すフローチャートである。
【図６】（ａ）〜（ｅ）は、輝度調整処理における液晶パネルの表示を示す図である。
【図７】上記マイクロコンピュータの点滅処理を示すフローチャートである。
【符号の説明】
【００４７】
２０    キー操作部
４０    液晶パネル
６０ａ〜６０ｆ  照明デバイス、
１１０  マイクロコンピュータ。
【図１】
2008252951.tif 000003
【図２】
2008252951.tif 000004
【図３】
2008252951.tif 000005
【図４】
2008252951.tif 000006
【図５】
2008252951.tif 000007
【図６】
2008252951.tif 000008
【図７】
2008252951.tif 000009